(57)【要約】      （修正有）【課題】折り畳み式多機能ペット用トローリーバッグを提供する。【解決手段】後立部の底辺を延出させ、サイドシール部の底辺、前辺及び上辺の方向に沿ってサイドシール部の底辺、前辺及び上辺に密着して下方から上方へ折り返して、ペット用バッグの底板部及び前上部シール部を形成し、サイドシール部、前上部シール部及び底板部はそれぞれの縁部に設けられるファスナーで封止された後、後立部と合わせてペット用バッグの篭体を構成し、また、その底板部の下に車輪が設けられ、後立部の外面に伸縮自在のプルロッドが設けられる。重いペットを連れて外出することが便利になり、遠い旅や余暇活動に適用され、また、登りが必要な場合も、背負って歩くことができ、使用しない場合、容易に折り畳んで収めることが可能である。【選択図】図１
0003154184.tif 000002
【実用新案登録請求の範囲】
【請求項１】
四角形状の後立部（１）を有する折り畳み式多機能ペット用トローリーバッグにおいて、前記後立部（l）の両側にそれぞれ延出部が設けられ、前記延出部を９０°折り返してペット用バッグの２つのサイドシール部（２）を形成し、前記後立部（１）の底辺を延出させ、前記サイドシール部（２）の底辺、前辺及び上辺の方向に沿って前記サイドシール部（２）の底辺、前辺及び上辺に密着して下方から上方へ折り返して、ペット用バッグの底板部（３）および前上部シール部（４）を形成し、前記サイドシール部（２）、前上部シール部（４）及び底板部（３）が、それぞれの縁部に設けられるファスナー（５）で封止された後、前記後立部（１）と合わせてペット用バッグの全体を構成し、また、前記底板部（３）の下に車輪（６）が設けられ、前記後立部（１）の外面に伸縮自在のプルロッド（９）が設けられることを特徴とする折り畳み式多機能ペット用トローリーバッグ。
【請求項２】
前記ファスナー（５）が両方向から開閉できる構成であることを特徴とする請求項１に記載の折り畳み式多機能ペット用トローリーバッグ。
【請求項３】
前記サイドシール部（２）の四周に枠形状の支持骨格（７）が設けられ、当該サイドシール部（２）の外面にペット食料を収容する食料用収納袋（８）が設けられることを特徴とする請求項１に記載の折り畳み式多機能ペット用トローリーバッグ。
【請求項４】
前記後立部（１）の外面にベルト（１０）及びパッド（１２）が設けられ、当該後立部（１）の裏面にペットを繋ぐフック（１１）が設けられることを特徴とする請求項１に記載の折り畳み式多機能ペット用トローリーバッグ。
【請求項５】
前記パッド（１２）がプルロッド（９）の固定ロッドに被覆されることを特徴とする請求項４に記載の折り畳み式多機能ペット用トローリーバッグ。
【請求項６】
前記サイドシール部（２）及び前上部シール部（４）に風通しの良い格子（１３）が設けられることを特徴とする請求項１に記載の折り畳み式多機能ペット用トローリーバッグ。
【請求項７】
前記底板部（３）の底面に支持脚（１４）が設けられることを特徴とする請求項１に記載の折り畳み式多機能ペット用トローリーバッグ。
【考案の詳細な説明】
【技術分野】
【０００１】
本考案は、折り畳み式多機能ペット用トローリーバッグに関する。
【背景技術】
【０００２】
従来、よく使われているペット用篭やペット用バッグは、屋内のある固定した場所に置かれてペットを収容するための折畳み不可能な固定式ペット用篭やペット用バッグであるが、現在、屋内だけでなく、例えば余暇旅行、展示会や競技会等の活動に参加するような外出する場合にもペットを連れて行ったら良いと考えられることがあるので、固定式ペット用篭やペット用バッグがペットを連れるような実用要求に対応できない。そのため、使用しない場合、容易に収めたり携帯したりすることができるように折り畳み可能な折畳み式携帯型ペット用篭やペット用バッグがなされている。しかしながら、既存の折畳み式携帯型ペット用篭又はペット用バッグはデザインが多いとはいえ、手持ち式又は背負い式のものがほとんどであり、かなり重いペットを連れたり、遠くへ歩いていったりする場合、時間が長くすると疲れる感じがする。
【考案の開示】
【考案が解決しようとする課題】
【０００３】
本考案は、重いペットを連れて遠くへ歩いていく要求に満足することができ、手で持つことなく、引いて歩くことができ、且つ背負い機能もあり、収める時、折り畳むことができる折り畳み式多機能ペット用トローリーバッグを提供することを目的とする。
【課題を解決するための手段】
【０００４】
上記の技術課題を解決するために、四角形状の後立部を有し、その後立部の両側にそれぞれ延出部が設けられ、上記延出部を９０°折り返してペット用バッグの２つのサイドシール部を形成し、後立部の底辺を延出させ、サイドシール部の底辺、前辺及び上辺の方向に沿ってサイドシール部の底辺、前辺及び上辺に密着して下方から上方へ折り返して、ペット用バッグの底板部及び前上部シール部を形成し、サイドシール部、前上部シール部及び底板部がそれぞれの縁部に設けられるファスナーで封止されて、後立部と合わせてペット用バッグの全体を構成し、また、その底板部の下に車輪が設けられ、後立部の外面に伸縮自在のプルロッドが設けられる折り畳み式多機能ペット用トローリーバッグが提供される。
上記のファスナーは両方向から開閉できる構成であり、サイドシール部に枠形状の支持骨格を有し、サイドシール部の外面にペット食料を収容する食料用収納袋が設けられ、後立部の外面にベルトとパッドが設けられ、そのパッドがプルロッドの固定ロッドに被覆され、後立部の裏面にペットを繋ぐフックが設けられ、サイドシール部と前上部シール部とにも風通しの良い格子が設けられ、底板部の底面に支持脚が設けられる。
【考案の効果】
【０００５】
本考案は、プルロッドでペット用バッグを引いて歩けるようにペット用バッグの底部に車輪が取付けられる、構成が採用されているので、重いペットを連れて外出することが便利になり、遠い旅や余暇活動に適用され、また、登りが必要な場合も、背負って歩くことができ、使用しない場合、容易に折畳んで収めることが可能である。
【図面の簡単な説明】
【０００６】
【図１】本考案にかかる折り畳み式多機能ペット用トローリーバッグの構成を示す斜視図である。
【図２】本考案にかかる折り畳み式多機能ペット用トローリーバッグを展開した場合を示す図である。
【符号の説明】
【０００７】
１  後立部、２  サイドシール部、３  底板部、４  前上部シール部、５  ファスナー、６  車輪、７  支持骨格、８  食料用収納袋、９  プルロッド、１０  ベルト、１１  フック、１２  パッド、１３  格子、１４  支持脚
【考案を実施するための最良の形態】
【０００８】
図１と図２に示すように、折り畳み式多機能ペット用トローリーバッグは、四角形状の後立部１を有し、前記後立部lの両側にそれぞれ延出部が設けられ、前記延出部を９０°折り返してペット用バッグの２つの左右対称なサイドシール部２を形成し、前記後立部１の底辺を延出させ、前記サイドシール部２の底辺、前辺及び上辺の方向に沿ってサイドシール部２の底辺、前辺及び上辺に密着して下方から上方へ折り返して、ペット用バッグの底板部３および前上部シール部４を形成し、前記サイドシール部２、前上部シール部４及び底板部３がそれぞれの縁部に設けられるファスナー５で封止された後、前記後立部１と合わせてペット用バッグの全体を構成し、また、底板部３の下に車輪６が設けられるので、外出の場合に車輪６の回転によりペット用バッグを引いて歩くことができ、体力が節約され、また、後立部１の外面にペット用バッグを引くための伸縮自在のプルロッド９が設けられる。
ペット用バッグに使用されるファスナー５は、２つの方向からペット用バッグの全体を同時に開閉できる両方向構造であるので、ペットの出入りが便利になる。サイドシール部２の四周に、ペット用バッグのサイドシール部２を支持するための枠形状の支持骨格７が設けられ、サイドシール部２の外面にペット食料を収容する食料用収納袋８が設けられることにより、ペットを連れて外出する場合、いつでもペットの食事要求が満足でき、後立部１の外面にベルト１０とパッド１２が設けられることにより、登りや坂上り等の車輪６の回転により進行しにくい場合、ベルト１０でバッグを背負って歩くことができ、パッド１２がプルロッド９の固定ロッドに被覆されることにより、ベルト１０でペット用バッグを背負って歩く場合の不快感を低減させることができ、後立部１の裏面にフック１１が設けられることにより、ペットが逃げられないように繋がれることができ、サイドシール部２及び前上部シール部４に風通しの良い格子１３が設けられることにより、ペット用バッグ中にペットが呼吸しやすく、ペット用バッグ中のペットの状況を観察することもでき、さらに底板部３の底面に２つの支持脚１４が設けられることにより、ペット用バッグを持って外出する途中や休憩する場合、２つの支持脚１４が２つの車輪６と協働してペット用バッグを安定して止めることができる。
折り畳んで収める場合、ファスナー５を開いて後立部１を展開し、左右の２つのサイドシール部２をそれぞれ裏へ後立部１に折り畳み、底板部３と前上部シール部４とを折畳んでからサイドシール部２に重なり合い、ベルト１０でそれらを取り囲んでしっかり束ねばよい。
本考案は構成が簡単であり、車輪６とプルロッド９によりペット用バッグを引いて歩くことができるので、ペットを連れて外出したり、遠くへ歩いていたりする場合に適用され、また背負い機能もあるので、現在ペットを連れて旅や余暇活動をする時の要求に満足することができる。
【図１】
0003154184.tif 000003
【図２】
0003154184.tif 000004